(57)【特許請求の範囲】
【請求項１】
容器側周壁の上端近傍の曲面部に、ごみ投入用の袋を開いた状態でその上部を保持する挟持片部を複数設けたごみ容器であって、
前記挟持片部は、相対向する２辺にスリットが形成されて容器本体から分離されると共に、残る相対向する２辺に薄肉ヒンジ部が形成されて容器本体に対し可動なように設けられ、これら挟持片部を内方に押動してできる隙間を利用して前記袋の上部を挿入し、次にこの挟持片部を外方に押動して元の状態に復元させることにより、袋の上部を挟持片部と容器本体との間で挟持するように構成したことを特徴とするごみ容器。
【請求項２】
容器の横断面形状が円または楕円形状であり、その側周壁の上端近傍の４ケ所に９０度間隔で、水平方向の１対のスリットによって容器本体から分離される挟持片部が形成されている請求項１記載のごみ容器。
【発明の詳細な説明】
【０００１】
【発明の属する技術分野】
本発明は、容器内にごみ投入用の袋を収容し、その袋を開いた状態でその上部を保持できるごみ容器に関するものである。
【０００２】
【従来の技術】
一般にごみ容器は、容器内に直接にごみを投入してそれが一杯になると、ごみを容器から取り出して廃棄している。しかし最近では、容器内がごみで汚れないことやごみの回収や廃棄が容易になることから、容器内にごみ投入用の袋（ビニール袋やスーパーマーケット等での買い物を入れる提げ手付きのポリ袋等）を開いた状態で収容してその袋の中にごみを投入し、袋にごみが一杯になればこの袋と共に廃棄するようにして使用することが多くなってきている。
【０００３】
ところがこの使用方法では、容器内へ収容した袋の上部を容器の開口部の外側へ折り返す等して袋を開いた状態に保持しているものの、その折り返した袋の上部がしっかりと容器に固定されていないため、ごみを投入していくにつれて袋がずれたり容器内へ落ち込んでしまったりして、ごみが容器内に洩れ出て汚れてしまうという問題があった。その上、スーパーマーケット等のポリ袋は提げ手の部分が大きく外側に露出し易いため、ごみ容器の意匠性を大きく損なってしまい非常に見苦しいという問題もあった。
【０００４】
そこで従来より図５に示すように、容器上部の開口部を開いた状態でその上部を保持する挟持具を備えたごみ容器が提案されている。このごみ容器は、横断面形状が円形状の容器本体１１とその開口部１１ａの内周面に嵌合するリング状の挟持具１２とを別部材で構成し、挟持具１２の外周面と容器本体１１の開口部１１ａの内周面との間に袋の上部を挟持して保持させることによって、上記のような問題を解消しようとするものである。
【０００５】
【発明が解決しようとする課題】
ところが図５に示す従来のごみ容器は、容器本体１１と挟持具１２の別部材で構成されているため、通常のごみ容器に比べて部品点数が増加してコストアップを招くという問題がある。
【０００６】
また上記ごみ容器は、容器本体１１の開口部１１ａの内周面と挟持具１２の外周面との間で袋の上部を挟持する構造のため、袋を容器に装着する際にはその上部を綺麗に巻き付けて挟み込まないと容器本体１１への嵌合がしにくくなったり、挟持具１２が持ち上がって外れてしまうおそれもあり、装着が難しいという問題がある。一方、その嵌合を解いて袋を容器から取り出す際にはきつく嵌合しているほど、挟持具１２を取り外しにくくなり使い勝手が悪いという問題がある。ごみ容器専用のビニール袋と違って上記使用方法に多く用いられている提げ手付きのポリ袋では、大きさが不揃いで嵩張り易い材質のために前記のような問題が一層顕著になる。
【０００７】
そこで本発明は、袋の装着や取り外しが容易で使い勝手の良いごみ容器を、１つの成形品からなる簡単な構造で安価に提供することを目的とする。
【０００８】
【課題を解決するための手段】
本発明は上記目的を達成するため、容器側周壁の上端近傍の曲面部に、ごみ投入用の袋を開いた状態でその上部を保持する挟持片部を複数設けたごみ容器であって、前記挟持片部は、相対向する２辺にスリットが形成されて容器本体から分離されると共に、残る相対向する２辺に薄肉ヒンジ部が形成されて容器本体に対し可動なように設けられ、これら挟持片部を内方に押動してできる隙間を利用して前記袋の上部を挿入し、次にこの挟持片部を外方に押動して元の状態に復元させることにより、袋の上部を挟持片部と容器本体との間で挟持するように構成したことを特徴とするものである。
【０００９】
本発明によれば、袋をごみ容器に収容して装着する場合、袋を容器本体内に挿入すると共に挟持片部を指等で容器外方から内方へ押動し、この押動によってできる挟持片部の外周面と容器外形との隙間に袋の上部（前記スーパーマーケットの袋の提げ手部分等）を挿入し、挟持片部に巻き付けるようにして袋の上部を前記隙間内でそれぞれ外方に向けて折り返す。そしてその状態のまま前記押動された挟持片部の内方を今度は逆に外方へ押動して挟持片部を元の容器外形の状態に復元させれば、前記袋の上部は挟持片部に巻き付けられた状態で、それぞれの曲面部で挟持片部と容器本体との間で挟持されるので、ずれたり容器内へ落ち込んでしまわずに側周壁の上端近傍に強固に固定して袋を開いた状態に保持することができ、その中にごみを投入することが可能になる。
【００１０】
また、袋に投入されたごみが一杯になり、袋をごみ容器から取り出す場合には、上記装着の場合と同様にして挟持片部を外方から内方へ押動する。そして、挟持片部に巻き付けられていた袋の上部をそれぞれ上方に引き上げて容器本体から分離させてから袋を持ち上げることにより、袋を容器からスムーズに取り出して袋ごとごみを廃棄することができる。尚、引き続いて新しい袋を収容するため、内方へ押動された挟持片部は元の状態に復元しないで、挟持片部の外周面と容器外形との隙間に新しい袋の一部を前記同様にして挿入して前記装着作業をすると良い。
【００１１】
また上記発明のごみ容器において、容器の横断面形状が円または楕円形状であり、その側周壁の上端近傍の４ケ所に９０度間隔で、水平方向の１対のスリットによって容器本体から分離される挟持片部が形成されていると、スーパーマーケット等のポリ袋を使用するのに好適であり、袋の互いに対向する提げ手等の部分をちょうど挟持片部で保持することができ、非常に使い勝手がよくなる。
【００１２】
【発明の実施の形態】
以下、本発明の一実施形態を図１〜図４を用いて具体的に説明する。
【００１３】
本発明のごみ容器は図１の全体斜視図に示すように、有底円筒形状のごく一般的な形状のごみ容器の側周壁２の形状を改良して、袋７を開いた状態でその上部を保持する挟持片部２を設けたものである。容器内に収容される袋７は広く使われているスーパーマーケット等での買い物を入れる提げ手７ａの付いたポリ袋を示しているが、ごみ容器専用のビニール袋を使用することも可能である。
【００１４】
挟持片部５は、容器本体１の側周壁２の上端近傍の曲面部３に４ケ所設けられ、容器本体１の開口部４の周縁に沿って水平に相対向する２辺にスリット８、８（図３）が、袋７の上部である提げ手７ａや結び部７ｂが挿入できる幅でそれぞれ形成されている。それら挟持片部５は容器本体１から分離されると共に、残る相対向する左右２辺に薄肉ヒンジ部６、６が図４に示すように、側周壁２の外方から溝状に刻設して形成されて容器本体１に対し可動なように設けられている。そしてこのスリット８、８間の挟持片部５が外方から内方へ押動される一方、押動された挟持片部５を内方から外方へ押動したときには元の状態に復元されるように構成されている。
【００１５】
容器本体１は、その側周壁２を上記のような挟持片部５の押動をスムーズにできるような厚みに形成し、その材質は弾性に優れた合成樹脂製のものが好適である。また薄肉ヒンジ部６は繰返し使用することで溝状部分が断裂せず且つ挟持片部５の押動を妨げないような肉厚で容器本体１の材質に合わせて形成する必要がある。
【００１６】
また曲面部３に設けられる挟持片部５は、本実施形態のように横断面形状が円形状で側周壁２全体が曲面状の場合、その４ケ所に９０度間隔で設けると、袋７の互いに対向する提げ手７ａの部分と結び部７ｂの部分をちょうど保持することができ好適であるが、２ケ所に形成してもよく、その場合は提げ手７ａの部分を保持すると好適である。
【００１７】
次に本実施形態のごみ容器の使用方法を説明する。
【００１８】
まず袋７をごみ容器に装着する場合は、図１に示すように袋７を容器本体１内に挿入すると共に挟持片部５を指等で外方から内方へ押動し、この押動によってできる挟持片部５の外周面と容器外形との隙間９に袋７の上部である提げ手７ａと結び部７ｂを挿入し、挟持片部５に巻き付けるようにして提げ手７ａと結び部７ｂを隙間９内でそれぞれ外方に向けて折り返す。そしてその状態のまま前記押動された挟持片部５の内方を今度は逆に外方へ押動して挟持片部５を元の容器外形の状態に復元させれば、提げ手７ａと結び部７ｂは挟持片部５に巻き付けられた状態で、それぞれ挟持片部５と容器本体１との間で挟持される。したがって袋７の提げ手７ａと結び片７ｂは、ずれたり容器内へ落ち込んでしまわずに側周壁２の上端近傍に強固に固定して袋７を開いた状態に保持することができ、その中にごみを投入することが可能になる。
【００１９】
尚、提げ手７ａと結び部７ｂは図２に示すようにその一部が復元した挟持片部５外周面より外観されるものの、単に袋７を開口部４で折り返した際に提げ手７ａ部分が大きく外にはみ出ていた状態に比べると、ごみ容器の意匠性には殆ど影響しない。また、袋７が容器本体１に比べて大きい場合には大きく折り返すとよく、その場合においても外観される部分は挟持片部５の幅に限られているので好適である。
【００２０】
また、袋７に投入されたごみが一杯になり、袋７をごみ容器から取り出す場合には、上記装着の場合と同様にして挟持片部５を外方から内方へ押動する。そして、挟持片部５に巻き付けられていた提げ手７ａと結び部７ｂをそれぞれ上方に引き上げて袋７を容器本体１から分離させてから持ち上げることにより、袋７をごみ容器からスムーズに取り出して袋７ごとごみを廃棄することができる。尚、引き続いて新しい袋を収容するため、内方へ押動された挟持片部５は元の状態に復元しないで、挟持片部５の外周面と容器外形との隙間９に新しい袋の上部を前記同様にして挿入して前記装着作業をすると良い。
【００２１】
以上のようにして本実施形態によれば、袋７の容器本体１への装着と取り外しをスムーズに行うことができると共に、全体を１部材で構成しているので構造が簡単でコストアップを招かないので、製品を安価に提供することができる。
【００２２】
本発明は上記実施形態に示すほか種々の態様に構成することができ、例えば、容器本体の形状は上記のものに限定されず、側周壁の横断面形状が楕円形状、或いはほぼ矩形状のものでもよい。矩形状の容器本体ではその４隅部に形成されるＲ部に挟持片部を設けることができる。またその他、容器本体の形状は挟持片部が形成可能な曲面部を２ケ所以上有しているものならば、例えば横断面形状が円弧状の側周壁が対向して設けられ他の部分は平面状の側周壁を有するような形状のものでもよい。またスリットも挟持片部が容器本体から分離されて押動操作によって上記のような袋の保持機能を果たすように形成されていれば、上記のような形状に限定されない。
【００２３】
【発明の効果】
本発明によれば、側周壁に設けられた挟持片部への簡単な押動操作だけで、袋の上部、例えばスーパーマーケットのポリ袋の提げ手等を強固に容器に固定することによって袋を開いた状態に保持できるので、容器への装着と取り外しをスムーズに使い勝手良く行うことができ、またこの挟持片部として別部材を必要とせず、全体を１つの成形品からなる簡単な構造で形成できるので、製品を安価に提供することができる。
【図面の簡単な説明】
【図１】本発明の実施形態において袋をごみ容器へ装着する状態を示す斜視図。
【図２】同実施形態において袋をごみ容器へ装着した状態を示す斜視図。
【図３】同実施形態におけるごみ容器を示す側面図。
【図４】同実施形態における要部を拡大して示す断面図。
【図５】従来例において挟持具を容器本体へ装着する状態を示す斜視図。
【符号の説明】
１  容器本体
２  側周壁
３  曲面部
５  挟持片部
６  薄肉ヒンジ部
７  袋
８  スリット
９  隙間
【図１】
0004368497.tif 000002
【図２】
0004368497.tif 000003
【図３】
0004368497.tif 000004
【図４】
0004368497.tif 000005
【図５】
0004368497.tif 000006